(57)【要約】      （修正有）【課題】１つのオスプラグと、１つのメスソケットと、１つのロック部とを備えるコネクタを提供する。【解決手段】オスプラグ１２の複数の第１挿入孔がメスソケット１４の複数の第２挿入孔に対応するように、オスプラグの位置決めコラムがメスソケットの第２位置決め溝に沿って挿入され、オスプラグの第１位置決め溝がメスソケットのクリップに沿って挿入され、かつオスプラグの突起がロック部１６のストッパーに沿ってその開口に滑り込まれる。オスプラグとメスソケットとが突起及び開口にリミットされて互いにロックされ、更に、ロック部の回転部材が一方向に回転した後、開口は突起をロック解除して、突起がストッパーに沿って開口から滑り出られ、オスプラグとメスソケットとを互いに分離できる。【選択図】図１
0003228675.tif 000002
【実用新案登録請求の範囲】
【請求項１】
回路基板とケーブルとを接続するコネクタであって、
挿入口と、位置決めコラムと、突起と、第１位置決め溝と、複数の第１挿入孔とが形成されており、一方側に前記ケーブルを挿入させるための前記挿入口が形成され、側辺に前記位置決めコラムが形成され、前記位置決めコラムに前記突起が設けられ、対応する側に前記複数の第１挿入孔と前記第１位置決め溝とが形成されたオスプラグと、
接合空間と、複数の第２挿入孔と、クリップと、第２位置決め溝と、ロック用溝とが形成されており、一方側に前記オスプラグを配置するための前記接合空間が形成され、対応する側に前記複数の第２挿入孔が形成され、前記接合空間に前記クリップが形成され、側辺に前記第２位置決め溝と前記ロック用溝とが形成され、前記接合空間が前記第２位置決め溝により前記ロック用溝と繋げ、前記複数の第２挿入孔が前記複数の第１挿入孔に対応して設けられ、前記クリップが前記第１位置決め溝に対応して設けられ、前記第２位置決め溝が前記位置決めコラムに対応して設けられたメスソケットと、
前記ロック用溝に設置し、回転部材と、ストッパーと、開口と、弾性部材と、固定部材とを有し、前記回転部材と前記固定部材の間に前記弾性部材が設けられ、前記開口が前記突起をロックするために設けられたロック部と、
を備え、
前記複数の第１挿入孔が前記複数の第２挿入孔に対応するように、前記位置決めコラムが前記第２位置決め溝に沿って挿入され、前記第１位置決め溝が前記クリップに沿って挿入され、かつ前記突起が前記ストッパーに沿って前記開口に滑り込まれ、前記オスプラグと前記メスソケットとが前記突起及び前記開口にリミットされて互いにロックされ、更に、前記回転部材が一方向に回転した後、前記開口は前記突起をロック解除して、前記突起が前記ストッパーに沿って前記開口から滑り出られ、前記オスプラグと前記メスソケットとを互いに分離できることを特徴とするコネクタ。
【請求項２】
前記突起は台形状であり、かつその最も長い辺が前記位置決めコラムに接続されることを特徴とする請求項１に記載のコネクタ。
【請求項３】
前記突起には斜面が形成されることを特徴とする請求項２に記載のコネクタ。
【請求項４】
前記突起を前記開口に滑り込ませるように、前記ストッパーの自由端は一定の角度で曲げられることを特徴とする請求項１に記載のコネクタ。
【請求項５】
複数の導電シートと、を更に備え、
前記複数の導電シートは前記複数の第１挿入孔と前記複数の第２挿入孔に挿入され、前記複数の導電シートの一端は前記回路基板を接続し、他端は前記ケーブルを接続することを特徴とする請求項１に記載のコネクタ。
【請求項６】
前記回転部材は外力により前記弾性部材を変形させて、前記回転部材を前記一方向に回転させることを特徴とする請求項１に記載のコネクタ。
【請求項７】
前記一方向は時計回り方向であることを特徴とする請求項６に記載のコネクタ。
【請求項８】
前記時計回り方向の回転角度範囲は１０度不満であることを特徴とする請求項１に記載のコネクタ。
【請求項９】
前記回転部材の末端は、前記ケーブルが挿入されていない位置に向かって伸びることを特徴とする請求項１に記載のコネクタ。
【請求項１０】
前記回転部材の形状はＬ字型であることを特徴とする請求項９に記載のコネクタ。
【考案の詳細な説明】
【技術分野】
【０００１】
本考案は、コネクタの技術領域に関わり、特に、オスプラグ及びメスソケットを自動でロックする、及び手動でロック解除することが可能なコネクタに関するものである。
【背景技術】
【０００２】
従来、コネクタのオスプラグとメスソケットとを接続しやすいために、特に小型化のコネクタでは、オスプラグとメスソケットとを接合する同時に、自動でロックできるように、自動ロック構造が設計される、一般的には、使用者は、垂直方向または水平方向から前記自動ロック構造に力を直接的に加えることで、オスプラグとメスソケットとを分離する。しかしながら、小型化のコネクタは、使用者が直接的に力をコネクタに加えることにより、コネクタと、ケーブル又は回路基板が破損される可能性がある。
【考案の概要】
【考案が解決しようとする課題】
【０００３】
以上の問題に対して、本考案は、従来のコネクタの欠陥を解決するためのコネクタを提供する。
【課題を解決するための手段】
【０００４】
本考案の第１目的は、簡単なインストール及び安定した接続の目的を達成するために、オスプラグ及びメスソケットを自動でロックする、及び手動でロック解除することが可能なコネクタを提供する。
【０００５】
本考案の第２目的は、前記コネクタにより、オスプラグとメスソケットとが位置決めコラム及び位置決め溝によって位置合わせ接続可能な目的を達成することである。
【０００６】
本考案の第３目的は、前記コネクタにより、自動ロックの動作がロック部で実行され、及びロック部の回転でロック解除の動作を実行することである。
【０００７】
以上の目的及び他の目的を達成するために、本考案は、回路基板とケーブルとを接続するコネクタを提供する。前記コネクタは、１つのオスプラグと、１つのメスソケット及び１つのロック部を備える。前記オスプラグには、１つの挿入口と、１つの位置決めコラムと、１つの突起と、１つの第１位置決め溝及び複数の第１挿入孔が形成される。前記オスプラグの一方側に前記ケーブルを挿入させるための前記挿入口が形成される。前記位置決めコラムは前記オスプラグの側辺に形成され、かつ前記位置決めコラムには前記突起が設けられる。前記複数の第１挿入孔と前記第１位置決め溝は、前記オスプラグの対応する側に形成される。前記メスソケットには、１つの接合空間と、複数の第２挿入孔と、１つのクリップと、１つの第２位置決め溝及び１つのロック用溝が形成される。前記メスソケットの一方側に前記オスプラグを配置するための前記接合空間が形成される。前記複数の第２挿入孔は、前記メスソケットの対応する側に形成される。前記クリップは、前記接合空間に形成される。前記第２位置決め溝と前記ロック用溝とは、前記メスソケットの側辺に形成される。前記接合空間は、前記第２位置決め溝により前記ロック用溝と繋げる。また、前記複数の第２挿入孔は前記複数の第１挿入孔に対応して設けられ、前記クリップは前記第１位置決め溝に対応して設けられ、及び前記第２位置決め溝は前記位置決めコラムに対応して設けられる。前記ロック部は、前記ロック用溝に設置する。前記ロック部は、１つの回転部材と、１つのストッパーと、１つの開口と、１つの弾性部材及び１つの固定部材を有する。前記弾性部材は前記回転部材と前記固定部材の間に設けられ、前記開口は前記突起をロックできる。前記複数の第１挿入孔が前記複数の第２挿入孔に対応するように、前記位置決めコラムが前記第２位置決め溝に沿って挿入され、前記第１位置決め溝が前記クリップに沿って挿入され、かつ前記突起が前記ストッパーに沿って前記開口に滑り込まれる。前記オスプラグと前記メスソケットとが前記突起及び前記開口にリミットされて互いにロックされ、更に、前記回転部材が一方向に回転した後、前記開口は前記突起をロック解除して、前記突起が前記ストッパーに沿って前記開口から滑り出られ、前記オスプラグと前記メスソケットとを互いに分離する。
【０００８】
知られた技術に対して、本考案のコネクタは、オスプラグとメスソケットとの組み立て過程で容易にインストールして自動的にロックしたり、簡単な押し圧でロック解除することができる。
【図面の簡単な説明】
【０００９】
【図１】図１は本考案の実施例にかかるコネクタの構造を示す図である。
【図２】図２は本考案の図１にかかるオスプラグを説明ための第１の斜視図である。
【図３】図３は本考案の図１にかかるオスプラグを説明ための第２の斜視図である。
【図４】図４は本考案の図１にかかるメスソケットの構造を示す図である。
【図５】図５は本考案の図１にかかるロック部の構造を示す図である。
【図６】図６は本考案の図１にかかるロック部の構造を示す図である。
【図７】図７は本考案の図１にかかるコネクタの使用を示す図である。
【考案を実施するための形態】
【００１０】
本考案の目的、特徴及び効果を十分に理解するために、以下の具体的な実施例及び図面により、本考案を詳しく説明する。
【００１１】
本考案において、「１つ」を使用して本明細書におけるユニットとアセンブリを記載する。これは説明しやすいためのみであり、かつ本考案の範囲に一般的な意義を提供する。よって、わざわざと別の意味を指摘しない限り、このような記載は、１つ、少なくとも１つを含み、かつ単数も同時に複数を含む。
【００１２】
本考案において、「含む」、「備える」、「有する」、「含まれる」の用語又は他の任意の類似用語は、非排他的なものをカバーすることを意図している。例を挙げると、複数の要素を含む１つのアセンブリと、構造と、製品又は装置は、本明細書で説明されるような要素に限らない、明確に説明されないが、当該アセンブリと、構造と、製品又は装置の一般的に固有する他の要素を含んでもよい。それ以外に、逆の明確な説明がない限り、用語「又は」は包括的な「又は」を指し、排他的な「又は」ではない。
【００１３】
図１は本考案の実施例にかかるコネクタの構造を示す図である。図１において、コネクタ１０は、１つのオスプラグ１２と、１つのメスソケット１４及び１つのロック部１６を備える。
【００１４】
図７は本考案の図１にかかるコネクタの使用を示す図である。図７において、コネクタ１０は、回路基板２とケーブル４とを接続するために用いられる。
【００１５】
図１に戻しかつ図２及び図３を共に参照し、図２は本考案の図１にかかるオスプラグを説明ための第１の斜視図であり、図３は本考案の図１にかかるオスプラグを説明ための第２の斜視図である。図２において、オスプラグ１２の前側には、１つの挿入口１２２と、１つの位置決めコラム１２４及び１つの突起１２６が形成される。図３において、オスプラグ１２の後側には、１つの第１位置決め溝１２８及び複数の第１挿入孔１２１０が形成される。また、ここでは、オスプラグ１２は矩形体を例に説明する。
【００１６】
図２と図３において、オスプラグ１２の前側にケーブル４を挿入させるための挿入口１２２が形成される。ここでは、挿入口１２２の数は八つを例に説明しかつ形状は矩形開口である。他の実施例において、その数と形状が制限されなくてもよい。
【００１７】
位置決めコラム１２４は、オスプラグ１２の側辺に形成される。ここでは、位置決めコラム１２４は、底部の両側に斜面を形成し、これによって、位置決めコラム１２４は、後述するメスソケット１４の１つの第２位置決め溝１４６に滑り込まれ、又はメスソケット１４から抜き出すのが容易になる。この斜面の技術特徴は必要な技術特徴ではないので、存在しても存在しなくてもよい。
【００１８】
位置決めコラム１２４には、突起１２６が設けられる。ここでは、突起１２６は台形状であり、台形状の最も長い辺が位置決めコラム１２４に接続され、かつ突起１２６には斜面１２６２が形成され、突起１２６は、斜面１２６２により後述するロック部１６の１つのストッパー１６１０に滑り込まれ、又はロック部１６から抜き出すのが容易になる。
【００１９】
第１位置決め溝１２８は、Ｈ字型の立体構造であり、ここでは２つの第１位置決め溝１２８を例として説明し、かつ２つの第１位置決め溝１２８はそれぞれ両側に形成され、後述するメスソケット１４の１つのクリップ１４４をクリップするために用いることができる。Ｈ字型の立体構造は横リブを提供するため、クリップ１４４は、横リブをクリップすることでリミットの目的を達成できる。なお、Ｈ字型の立体構造は第１位置決め溝１２８の形状を制限するために用いられるのではない、リミットの目的を達成できれば、本考案で言及される第１位置決め溝１２８に属する。
【００２０】
複数の第１挿入孔１２１０は挿入口１２２に対応して設けられ、導電シート６（図７を参照）の一端は複数の第１挿入孔１２１０により挿入されてケーブル４に電気的に接続されることができる、かつケーブル４は、導電シート６の当該一端を介して、導電シート６の他端が接続された回路基板２に電気的に接続されることができる。
【００２１】
図４は本考案の図１にかかるメスソケット１４の構造を示す図である。図４において、メスソケット１４には、１つの接合空間ＳＰと、複数の第２挿入孔１４２と、クリップ１４４と、第２位置決め溝１４６及び１つのロック用溝１４８が形成される。
【００２２】
メスソケット１４の前側に接合空間ＳＰが形成され、当該接合空間ＳＰは、メスソケット１４とオスプラグ１２とを密着させることができるように、オスプラグ１２を配置する。
【００２３】
複数の第２挿入孔１４２は、メスソケット１４の外部と接合空間ＳＰとを貫通するために、メスソケット１４の後側に形成され、かつ複数の第２挿入孔１４２は複数の第１挿入孔１２１０に対応して設けられる。
【００２４】
クリップ１４４は接合空間ＳＰに形成され、かつクリップ１４４は第１位置決め溝１２８に対応して設けられる。ここでのクリップ１４４は接合空間ＳＰに突出した正四面体である。
【００２５】
第２位置決め溝１４６とロック用溝１４８とはメスソケット１４の側辺に形成され、接合空間ＳＰは第２位置決め溝１４６によりロック用溝１４８と繋げる、第２位置決め溝１４６は位置決めコラム１２４に対応して設けられる。
【００２６】
図５及び図６は本考案の図１にかかるロック部１６の構造を示す図である。図５において、ロック部１６はロック用溝１４８に設置する。ロック部１６は、１つの回転部材１６２と、１つの固定部材１６４と、１つの弾性部材１６６と、１つの開口１６８及びストッパー１６１０を備える。
【００２７】
回転部材１６２は、外力の加えることを受けることができる。
【００２８】
弾性部材１６６は回転部材１６２と固定部材１６４との間に設けられ、回転部材１６２は外力の加えることを受けると、回転部材１６２と固定部材１６４に変形が生じて、弾性部材１６６が一方向に曲げられたり、角度で回転したりことができる。ここでは、回転角度範囲は１０度不満である。さらに、外力を加えやすいために、回転部材１６２の末端は、ケーブル４が挿入されていない位置に向かって伸びる。ここでは、回転部材１６２の形状はＬ字型を例に説明する。
【００２９】
メスソケットを回路基板２にリミットするために、固定部材１６４は回路基板２に固定される。
【００３０】
突起１２６を開口１６８に滑り込ませるために、ストッパー１６１０の自由端は一定の角度で曲げられる。
【００３１】
図６において、オスプラグ１２とメスソケット１４との接合過程では、クリップ１４４が第１位置決め溝１２８にクリップされるように、位置決めコラム１２４が先に第２位置決め溝１４６に沿って挿入され、第１位置決め溝１２８がクリップ１４４に沿って挿入される、複数の第１挿入孔１２１０が複数の第２挿入孔１４２に対応し、突起１２６がストッパー１６１０に沿って開口１６８に滑り込まれる。ロックの目的を達成するために、オスプラグ１２とメスソケット１４とは、突起１２６及び開口１６８にリミットされて互いにロックされる。逆に、回転部材１６２を例えば時計回り方向に回転させるように、外力を回転部材１６２に加えると、開口１６８は突起１２６をロック解除し、突起１２６がストッパー１６１０に沿って開口１６８から滑り出られ、ロック解除の目的を達成するために、オスプラグ１２とメスソケット１４とを互いに分離させることができる。
【００３２】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３３】
２…回路基板
４…ケーブル
６…導電シート
１０…コネクタ
１２…オスプラグ
１２２…挿入口
１２４…位置決めコラム
１２６…突起
１２８…第１位置決め溝
１２１０…第１挿入孔
１４…メスソケット
１４２…第２挿入孔
１４４…クリップ
１４６…第２位置決め溝
１４８…ロック用溝
１６…ロック部
１６２…回転部材
１６４…固定部材
１６６…弾性部材
１６８…開口
１６１０…ストッパー
ＳＰ…接合空間
【図１】
0003228675.tif 000003
【図２】
0003228675.tif 000004
【図３】
0003228675.tif 000005
【図４】
0003228675.tif 000006
【図５】
0003228675.tif 000007
【図６】
0003228675.tif 000008
【図７】
0003228675.tif 000009
【手続補正書】
【提出日】令和2年4月29日(2020.4.29)
【手続補正１】
【補正対象書類名】実用新案登録請求の範囲
【補正対象項目名】全文
【補正方法】変更
【補正の内容】
【実用新案登録請求の範囲】
【請求項１】
回路基板とケーブルとを接続するコネクタであって、
挿入口と、位置決めコラムと、突起と、第１位置決め溝と、複数の第１挿入孔とが形成されており、一方側に前記ケーブルを挿入させるための前記挿入口が形成され、側辺に前記位置決めコラムが形成され、前記位置決めコラムに前記突起が設けられ、対応する側に前記複数の第１挿入孔と前記第１位置決め溝とが形成されたオスプラグと、
接合空間と、複数の第２挿入孔と、クリップと、第２位置決め溝と、ロック用溝とが形成されており、一方側に前記オスプラグを配置するための前記接合空間が形成され、対応する側に前記複数の第２挿入孔が形成され、前記接合空間に前記クリップが形成され、側辺に前記第２位置決め溝と前記ロック用溝とが形成され、前記接合空間が前記第２位置決め溝により前記ロック用溝と繋げ、前記複数の第２挿入孔が前記複数の第１挿入孔に対応して設けられ、前記クリップが前記第１位置決め溝に対応して設けられ、前記第２位置決め溝が前記位置決めコラムに対応して設けられたメスソケットと、
前記ロック用溝に設置し、回転部材と、ストッパーと、開口と、弾性部材と、固定部材とを有し、前記回転部材と前記固定部材の間に前記弾性部材が設けられ、前記開口が前記突起をロックするために設けられたロック部と、
を備え、
前記複数の第１挿入孔が前記複数の第２挿入孔に対応するように、前記位置決めコラムが前記第２位置決め溝に沿って挿入され、前記第１位置決め溝が前記クリップに沿って挿入され、かつ前記突起が前記ストッパーに沿って前記開口に滑り込まれ、前記オスプラグと前記メスソケットとが前記突起及び前記開口にリミットされて互いにロックされ、更に、前記回転部材が一方向に回転した後、前記開口は前記突起をロック解除して、前記突起が前記ストッパーに沿って前記開口から滑り出られ、前記オスプラグと前記メスソケットとを互いに分離できることを特徴とするコネクタ。
【請求項２】
前記突起は台形状であり、かつその最も長い辺が前記位置決めコラムに接続されることを特徴とする請求項１に記載のコネクタ。
【請求項３】
前記突起には斜面が形成されることを特徴とする請求項２に記載のコネクタ。
【請求項４】
前記突起を前記開口に滑り込ませるように、前記ストッパーの自由端は一定の角度で曲げられることを特徴とする請求項１に記載のコネクタ。
【請求項５】
複数の導電シートと、を更に備え、
前記複数の導電シートは前記複数の第１挿入孔と前記複数の第２挿入孔に挿入され、前記複数の導電シートの一端は前記回路基板を接続し、他端は前記ケーブルを接続することを特徴とする請求項１に記載のコネクタ。
【請求項６】
前記回転部材は外力により前記弾性部材を変形させて、前記回転部材を前記一方向に回転させることを特徴とする請求項１に記載のコネクタ。
【請求項７】
前記一方向は時計回り方向であることを特徴とする請求項６に記載のコネクタ。
【請求項８】
前記時計回り方向の回転角度範囲は１０度未満であることを特徴とする請求項７に記載のコネクタ。
【請求項９】
前記回転部材の末端は、前記ケーブルが挿入されていない位置に向かって伸びることを特徴とする請求項１に記載のコネクタ。
【請求項１０】
前記回転部材の形状はＬ字型であることを特徴とする請求項９に記載のコネクタ。